(57)【特許請求の範囲】
【請求項１】
樹種の異なる複数枚の木板が集成材の表面で露出するように並べて配置され、かつ、各木板自身が含有していた色素成分と共通の媒染剤との反応によって前記複数枚の木板の各々に対しては樹種毎に異なる色彩の草木染が施されていることを特徴とする草木染を施した集成材。
【請求項２】
樹種の異なる複数枚の木板を集成材表面で露出するように並べて集成材を構成した後、該集成材に媒染処理を一括して行い、各木板自身が含有していた色素成分と媒染剤との反応を利用して前記複数枚の木板の各々に対して樹種毎に異なる色彩の草木染を一括して行うことを特徴とする草木染を施した集成材の製造方法。
【発明の詳細な説明】
【０００１】
【発明の属する技術分野】
本発明は、草木染が施された新たなタイプの集成材、およびその製造方法に関するものである。
【０００２】
【従来の技術】
木材を材料として用いる場合には、長い間、無垢材を用いるのが当然とされ、単板積層材、合板、矧ぎ材、寄木、集成材など、複数の材料を継ぎ足したものはあくまで無垢材の代用品として使用されるに過ぎなかった。
【０００３】
このような状況は工業化が進んで集成材などを大量に製造可能になっても変わらず、集成材は、木材の大きさや価格の面で無垢材で対応できない場合、あるいは曲げ木を作る方法の一つとして用いられているのみである。従って、集成材は、従来、無垢材に見せかけるために同じ樹種の木板を接合し、異種の木板を混ぜることはしないのが一般的である。たとえば、集成材を用いてカウンターやテーブルなどを作る際には、無垢板の方が高価に見えるという感覚から異種の木板を混ぜることはしない。また、集成材を構造材として用いる場合には歪みが発生するのを防止するという観点から異種の木板を混ぜることはしない。
【０００４】
なお、上記の各木材のうち、多板単板積層板は単板を積み重ねて接合したものであり、同じ樹種の木板を木目が平行になるように積層される。合板は幅広の薄い材料であるため、木目方向を９０°ずつずらしながら交互に積層し、強度を高めたものである。引ぎ材は同じ樹種の木板を木目方向を平行に揃えながら継ぎ足したものであり、無垢の一枚板の代表品として製造される。寄せ木は、樹種、材色、木目の異なった木片を種々の模様を構成するように組み合わせたもので、寄せ木細工などに用いられる。モザイクパーケットもこの寄せ木の一種である。
【０００５】
【発明が解決しようとする課題】
ここに、集成材は間伐材等の安価な材料で構成できるという利点があることから、本願出願人は、従来の感覚を一掃して、樹種の違いを積極的に利用して、これまでの木材には無かった新鮮な外観をコストアップすることなく付与することを提案するものである。
【０００６】
すなわち、本発明の課題は、樹種の違いを最大限活かして、安価でしかも新鮮な外観を有する新たなタイプの集成材、およびその製造方法を提供することにある。
【０００７】
【課題を解決するための手段】
上記課題を解決するため、本発明では、樹種の異なる複数枚の木板を集成材表面で露出するように並べて集成材を構成するとともに、該集成材に媒染処理を一括して行い、各木板自身が含有していた色素成分と媒染剤との反応を利用して複数枚の木板の各々に対して樹種毎に異なる色彩の草木染を一括して行った新たなタイプの集成材（草木染を施した集成材）を構成したことに特徴を有する。
【０００８】
本発明に係る集成材は樹種の異なる木板から構成され、かつ、それに施された染色はあくまで草木染であるため、樹種によって異なる木目模様は隠れることなく、逆に浮き出てくる。従って、本発明に係る集成材では、各木板間で樹種が相違していることによる木目模様の変化を楽しむことができる。また、本発明では、樹種の異なる木板から集成材を構成した後、媒染処理を一括して行い、各木板自身が含有していた色素成分に応じた色彩の草木染を行うのであって、各木板への草木染を別々の工程で行うのではなく、各木板に草木染用の染料を塗布してから媒染を行うのでもない。すなわち、各木板には共通の媒染処理が行われるが、各木板自身が含有している色素成分は樹種によって相違するので、一度の媒染処理で木板の各々には樹種に応じた異なる色彩の染色が行われる。それ故、集成材を構成する各木板に草木染を別々に施す場合と違って、染色コストが安く済む。しかも、本発明に係る草木染を施した集成材では、木板毎に樹種に応じて色彩が相違する草木染が施されているので、これまで無かった新鮮な印象を受ける。
【０００９】
【発明の実施の形態】
以下、図面を参照して本発明の一実施例を説明する。
【００１０】
図１は、本発明に係る草木染を施した集成材の構成を示す斜視図である。
【００１１】
図１において、本発明に係る集成材１は樹種の異なる木板１Ａ〜１Ｇから構成されている。たとえば、図１にはセン、ナラ、ミズメザクラ、トチ、ケヤキ、アカシヤ、クリからなる７種類の樹木から得た木板１Ａ〜１Ｇを木目方向を平行に揃えて接着材で接合した集成材１を示してある。ここで、木板１Ａ〜１Ｇは樹種毎に異なる木目模様を有しているとともに、木板自身が樹種によって異なる色素成分（草木染に用いる染料成分）を含有している。
【００１２】
集成材１の両面のうち、少なくとも一方の面には草木染が施され、樹種の異なる木板１Ａ〜１Ｇ毎にその色合いや濃淡などが相違している。この集成材１に施された染色はあくまで草木染であるため、木目模様が浮き出て見える。従って、本形態に係る集成材１では、樹種の相違からくる木目模様の変化と、木板１Ａ〜１Ｇ毎に相違する草木染の色彩の変化とがあり、これまでの木材に無かった新たな印象を受ける。それ故、本形態に係る集成材１は、新たなタイプの集成材１として、テーブルや椅子等の脚物、箪笥や食器棚やサイドボード等の箱物、これらに付属させる取っ手類、お盆や花器や菓子鉢や額や小箱等のインテリア小物、建具、床材、壁材（腰板）等といった木製製品に用いることができる。
【００１３】
このような集成材１を製造するにあたって、本形態では、樹種の異なる木板１Ａ〜１Ｇから集成材１を構成した後、この集成材１に媒染処理を一括して行い、各木板１Ａ〜１Ｇ自身が含有していた色素成分と媒染剤との反応を利用して木板１Ａ〜１Ｇの各々に対して異なる色彩の染色を一括して行う。
【００１４】
すなわち、木板１Ａ〜１Ｇの各々に草木染を別々の工程で施していくのではなく、集成材１の表面に媒染可能な色素成分を塗布してから媒染するのでもない。本形態では、集成材１を構成する各木板１Ａ〜１Ｇに対して媒染処理を直接、かつ、一括して行い、各木板１Ａ〜１Ｇ自身が含有していた色素成分そのものと媒染剤との反応を利用して草木染を行う。従って、各木板１Ａ〜１Ｇには共通の媒染剤で処理が行われるが、各木板１Ａ〜１Ｇ自身が含有している色素成分は樹種によって相違するので、集成材１では一度の媒染処理で木板１Ａ〜１Ｇの各々に対して樹種に応じた染色を行うことができる。たとえば、セン、ナラ、ミズメザクラ、トチ、ケヤキ、アカシヤ、クリからなる７種類の樹木から得た木板１Ａ〜１Ｇから集成材１を構成した場合には、一度の媒染処理だけで、１枚の集成材１に木板１Ａ〜１Ｇ毎の７種類の色彩が付与されることになるので、染色コストが安く済む。
【００１５】
ここで、同じ樹種の木板から集成材を構成した後、木板毎に異なる色合いや濃淡の草木染を施そうとした場合には、色合いや濃淡を変える数の染色工程が必要で、しかも各工程毎にマスキングする必要がある。しかるに本形態に係る集成材１によれば、集成材１を構成する各木板１Ａ〜１Ｇの樹種の数を変えて一回の染色処理（媒染処理）を行うだけで、それに応じた数の色合いや濃淡の変化を集成材１に付すことができる。しかも、集成材１自身、間伐材等の安価な材料から構成できるという利点がある。それ故、本形態に係る集成材１によれば、樹種の違いを最大限活かして、安価でしかも新鮮な外観を有する新たなタイプの集成材１を提供することができる。
【００１６】
なお、媒染剤の種類については、銅イオン、アルミニウムイオン、鉄イオン、ナトリウムイオン、錫イオン、クロムイオン等々各種のイオンを含むものを用いることができ、媒染剤の種類を変えるだけで集成材毎に異なる外観を付与することもできる。
【００１７】
【発明の効果】
以上説明したように、本発明に係る草木染を施した集成材では、樹種の異なる複数枚の木板を用いて、表面に前記木板の各々の木板部分が露出するように集成材を構成した後、この集成材に媒染処理を一括して行い、各木板自身が含有していた色素成分と媒染剤との反応を利用して木板の各々に対して異なる色彩の染色を一括して行うことに特徴を有する。従って、本発明によれば、各木板には共通の媒染処理が行われるが、各木板自身が含有している色素成分は樹種によって相違するので、一度の媒染処理で木板の各々には樹種に応じた染色を行うことができる。それ故、集成材自身が無垢材からみてはるかに安価であることに加えて、一枚の板材に部分毎の草木染を繰り返す場合と比較して染色コストが安く済むので、新鮮な外観を有する新たなタイプの集成材を安価に提供できる。
【図面の簡単な説明】
【図１】本発明に係る草木染を施した集成材の斜視図である。
【符号の説明】
１  集成材
１Ａ〜１Ｇ  樹種の異なる木板
【図１】
0003805042.tif 000002